(57)【要約】【課題】  透過性基板の下面の模様が視認されないようにする。【解決手段】  時計用文字板１を構成する透過性基板２は、その下面２ａに複数の凹凸部を有し、凹部２ｂは鏡面に形成されていて反射膜３を有し、凸部２ｃは平滑面２ｄになっていて透過性を有し、平滑面２ｄの形状は直径ｄが１００μｍを超えて１２０μｍ以下の円形で、該複数の円形を正三角形の模様形状になるように分散配置する。反射膜３は、金属蒸着膜等よりなる。凸部２ｃの縦断面形状は、台形形状をしていて平滑面２ｄの直径ｄが１００μｍを超えて１２０μｍ以下であるので金型の製作が容易である。また、複数の円形を正三角形の模様形状に配置し、鏡面に形成された凹部２ｂの底面及びテーパーの斜面に反射膜３が形成されているので、反射光が分散、散乱し易く、ソーラーセルの濃紫色が全く視認されず、金属反射膜からの反射光により高級感を有する文字板が安価に出現できる。【選択図】    図１
2008180730.tif 000002
【特許請求の範囲】
【請求項１】
透過性基板の下面に複数の凹凸部を設け、該凹部を鏡面に形成して反射膜を設けた時計用文字板において、
前記複数の凸部は縦断面形状が台形形状をなし、該台形のテーパーの斜面は鏡面をなして反射膜を有し、該台形の先端表面は円形なる平滑面をなして透過性を有し、前記複数の円形を正三角形の模様形状になるように分散配置したことを特徴とする時計用文字板。
【請求項２】
前記台形の先端表面の円形なる平滑面の直径は１００μｍを超えて１２０μｍ以下であることを特徴とする請求項１に記載の時計用文字板。
【請求項３】
前記反射膜は、金属蒸着膜、又は塗料膜、又は金属蒸着膜と塗料膜の積層膜であることを特徴とする請求項１又は請求項２に記載の時計用文字板。
【発明の詳細な説明】
【技術分野】
【０００１】
本発明は、時計用文字板、更に詳しくは太陽電池付時計用文字板、あるいはバックライト付き時計用文字板に関する。
【背景技術】
【０００２】
従来、ソーラーセル用の時計用文字板として、外観上金属感を出現させると共に、下面に配設したソーラーセルが有する独特の膿紫色が見えないようにする技術として、文字板に各種の凹凸模様、例えば、格子模様、サークル模様、各種幾何学模様等を施している。このような従来技術の時計用文字板として、例えば、先に本出願人が出願した特願２０００−３３５０７４号（特許文献１）、特願２００１−０９１３４８号（特許文献２）にその技術が開示されている。
【０００３】
前記特願２０００−３３５０７４号において、図３及び図４に示すように、１０はソーラーセル用の時計用文字板であり、１１は時計用文字板１０を構成する主要部材である光透過性プラスチック材料からなる透過性基板である。その下面には凹部１２がマトリクス状に密集して配設されている。前記凹部１２が形成されていない部分は相対的に凸部１３を呈している。前記凹部１２の内面には、非透過部である金属蒸着膜、又は塗料膜、又は金属蒸着膜と塗料膜との積層膜である反射膜１４が形成されている。
【０００４】
この時計用文字板１０の上面には、図示しない時字やマーク等の指標が形成されている。そして前記凸部１３の上面１３ａは研磨されて透過性基板１１が露出し、更に平滑面になっている。そして研磨された上面１３ａの総面積が、透過性基板１１全体の面積の２０〜５０％の範囲になるように形成されている。
【０００５】
また、前記凸部１３の高さｈが少なくとも１０μｍ以上あって、上面１３ａの幅ｔは１００μｍ以下に形成されている。このような、凹凸模様のある時計用文字板１０の製造方法は、射出成形方法よるか、または凹凸模様を形成した金型を用いて加熱加圧の下で転写する方法による。
【０００６】
この時計用文字板１０では透過性基板１１の透過部の幅ｔが１００μｍ以下と小さく制限されているので、時計用文字板１０の上から透過部の形状やソーラーセルの濃紫色が認識できない。反射膜１４の選択により時計用文字板１０の下面で反射した光により文字板面は金属感のある見栄えの良い外観になる。
【０００７】
しかしながら、光透過部の幅ｔを１００μｍ以下に設定しているので、金型を製作するのに時間が掛かり非常に高価であった。時計用文字板のコストアップになる。
【０００８】
そこで、この問題を解決する技術として、前記特願２００１−０９１３４８号において、図５に示すように、２０はソーラーセルの上に配設されるソーラーセル用の時計用文字板で、２１は時計用文字板２０を構成する主要部材である光透過性プラスチック材料からなる透過性基板であり、透過性基板２１の上面２１ａは平坦で、下面２１ｂには模様状に形成された凹凸部を有し、凹部２１ｃがマトリクス状に密集している。凹部２１ｃの模様にはこのマトリクス状の他に、ストライブ模様、サークル模様、その他の幾何学模様等がある。
【０００９】
前記凹部２１ｃの底面は鏡面に仕上げられていて反射膜２２を有している。該反射膜２２は光が透過しない厚みに形成された金属蒸着膜からなる非透過部になっている。非透過部である金属蒸着膜に限らず塗料膜、又は金属蒸着膜と塗料膜との積層膜で形成しても良い。
【００１０】
前記透過性基板２１の下面２１ｂは透過性を有する凸部２１ｄを呈し、透過部の幅ｔは１２０μｍ以下である。前記透過部の総面積は透過性基板２１の全体の面積の２０〜５０％の範囲になるように形成されていて、ソーラーセルに均一な光量が得られ十分な発電が可能である。
【００１１】
上記したように、前記凹部２１ｃの底面を鏡面に仕上げるのは、その部分が良く反射されて光沢を有しているので、その光沢に惑わされて１２０μｍ（透過部の幅ｔ）の大きさが視認されない。
【００１２】
また、図６に示すように、前記透過性基板２１の上面２１ａに模様パターン２１ｅを形成することにより、下面２１ｂの透過部より透過してきたソーラーセルの反射光は、上面２１ａに形成された模様パターン２１ｅによって光が分散、散乱して放射される。この分散、散乱によって、一層ソーラーセルの存在を目立たなくさせる。その上、下面の模様が異なると、ソーラーセルからの反射光が上面側の模様の異なる凹凸で分散するのでソーラーセルの濃紫色が視認されなくなる。
【００１３】
【特許文献１】特願２０００−３３５０７４号
【特許文献２】特願２００１−０９１３４８号
【特許文献３】特開平１１−３２６５４９号
【特許文献４】特開平１０−２０６５６０号
【特許文献５】特開平７−２４４１７４号
【発明の開示】
【発明が解決しようとする課題】
【００１４】
しかしながら、透過性を有する凸部の大きさが１２０μｍでは、上面側に模様パターンを形成しないと、ストライブ模様、サークル模様、格子模様等の模様が強調されて模様として僅かではあるが視認されてしまう。また、上面側に模様パターンを形成することはコストアップになってしまうと言う問題がある。
【００１５】
本発明は上記従来の課題に鑑みなされたものであり、その目的は、透過性基板の上面に凹凸模様を形成することなく、ソーラーセルの濃紫色が視認されないで、製造が容易で安価なソーラーセル用の時計用文字板を提供するものである。
【課題を解決するための手段】
【００１６】
上記目的を達成するために本発明における時計用文字板は、透過性基板の下面に複数の凹凸部を設け、該凹部を鏡面に形成して反射膜を設けた時計用文字板において前記複数の凸部は縦断面形状が台形形状をなし、該台形のテーパーの斜面は鏡面をなして反射膜を有し、該台形の先端表面は円形なる平滑面をなして透過性を有し、前記複数の円形を正三角形の模様形状になるように分散配置したことを特徴とするものである。
また、本発明の時計用文字板は、前記台形の先端表面の円形なる平滑面の直径は１００μｍを超えて１２０μｍ以下であることを特徴とするものである。
【００１７】
また、前記反射膜は、金属蒸着膜、又は塗料膜、又は金属蒸着膜と塗料膜との積層膜であることを特徴とするものである。
【発明の効果】
【００１８】
本発明によれば、透過性を有する平滑面である複数の円形を正三角形の集合模様になるように分散して配置すること。また、凹部は鏡面に形成されていて良く光を反射させること、更に、凹部の底面及び特に斜面に形成した反射膜よりの反射光の分散、散乱させることなどの相乗効果により、透過部は模様として認識され難く、ソーラーセルの濃紫色は視認されない。また、凸部の形状が台形形状のため成形加工がより容易になる。更に、金属反射膜により高級感を出現させる。また、光透過部分により十分な発電量が得られる。新規で安価なソーラーウオッチ用あるいはバックライト付き時計用文字板を提供することができる。
【発明を実施するための最良の形態】
【００１９】
以下図面に基づいて本発明における時計用文字板について説明する。図１は、本発明の実施の形態に係わる時計用文字板の要部平面図である。図２（ａ）は、図１のＡ−Ａ線断面図、図２（ｂ）は、図２（ａ）の部分拡大断面図である。
【００２０】
図１及び図２において、１はソーラーセル用の時計用文字板であり、２は時計用文字板１を構成する主要部材である光透過性プラスチック材料からなる透過性基板である。該透過性基板２は、その下面２ａに複数の凹凸部を有し、前記凹部２ｂは鏡面に形成されていて、その上に金属反射膜３が形成されている。この金属反射膜３は、例えば、銀（Ａｇ）蒸着膜とクロム（Ｃｒ）蒸着膜からなる２層の反射膜で構成する。このＡｇ蒸着膜の膜厚は、略６００〜１０００Å程度で、Ａｇ蒸着膜の変色防止のために形成するＣｒ蒸着膜の膜厚は、略３００〜５００Å程度である。
【００２１】
前記反射膜３は、金属蒸着膜以外に、塗料膜、又は金属蒸着膜と塗料膜との積層膜でも良い。
【００２２】
前記凸部２ｃの断面形状は、図２（ｂ）に示すように台形形状をしており、所定の角度（α）、例えば２〜１５°程度のテーパーが付いている。そして、透過性を有する凸部２ｃの表面は研磨されて平滑面２ｄになっている。前記凸部２ｃの平滑面２ｄの形状は、直径ｄが例えば、１２０μｍ以下の円形、高さｈが５０μｍ以下で、該複数の円形は正三角形の模様形状になるように分散配置されている。
【００２３】
前記透過性を有する凸部２ｃの平滑面２ｄの総面積は、前記透過性基板２の面積に対して２０〜５０％であり、ソーラーセルの発電に必要な光量としては十分である。前記時計用文字板１の上面２ｅには図示しない時字やマーク等の指標が形成されている。
【００２４】
上記した構成の時計用文字板の作用効果について説明する。前記凹凸模様のある時計用文字板１は、射出成形方法によるか、または凹凸模様を形成した金型を用いて加熱加圧の下で転写する方法による。前記凸部２ｃの高さｈが少なくとも５０μｍ以下（１０μｍ以上）であって、平滑面２ｄの円形の直径ｄが１２０μｍ以下であり、２〜１５°程度のテーパ（α）が付いているので、透過性基板２は成形し易く、安価に製造できる。
また、透過性を有する平滑面２ｄである複数の円形を正三角形の集合模様になるように分散して配置することにより、模様として認識され難く、更に、凹部２ｂは鏡面に形成されているので、その部分が良く光を反射されて光沢を持っているのでその光沢に惑わされて１２０μｍ（平滑面円形の直径ｄ）の大きさが視認されない。（また、他に、丸点の配置が正方形、サークル等のパターンが人間の目で視認されやすいのは正方形、サークル等に方向性が有り、人間の生理として、目でパターンとして視認されやすいためであると推量される。このことより、丸点を正三角形のパターンとすることにより、模様として、人間の目が視認することが難しくなるのではないかと考えられる。）また、更に、凹部２ｂの底面及びテーパーの斜面に金属反射膜３が形成されているので、反射光が分散、散乱し易く、ソーラーセルの濃紫色が全く視認されない。更に、金属反射膜３からの反射光により文字板に高級感を出現することができる。
【００２５】
上記した光透過性のプラスチック材料よりなる透過性基板に薄く着色を施すことにより、外観的に見栄えを増すと同時に、ソーラーセルの濃紫色を更に見え難くすることができる。
【００２６】
ここで上記した時計用文字板の製造方法について簡単に説明する。先ず、透過性プラスチック基板からなる文字板ブランクを形成する。この場合、予め文字板の凹部底面に対応する金型の凸部を鏡面に仕上げておく。そして射出成形によりブランクを成形する。または、プレス成形で凹凸部を形成する方法もある。この工程において、凹凸部は金型で形成した凹凸部がブランクに転写されて形成される。次に、ブランクの凹凸部のある全面に反射膜を形成する。これは金属の蒸着による場合は、光が透過しない程度の厚み（概ね１０００Å程度）に形成する。
塗装方法では、塗装膜を光が透過しない程度の厚みに施して反射膜を形成しても良い。次に、透過性基板が露出するまで凸部上面を研磨して凸部の反射膜を除去し、平滑面にする。
【００２７】
以上ソーラーセル用の時計用文字板について説明してが、本発明は、エレクトロルミネッセンス等のバックライトを文字板の下面側に配設したバックライト付き時計用文字板についても同様に適用できる。光の透過部分が全く見えないため、その下に配設したエレクトロルミネッセンスも全く見えず、しかも、光の透過部分を大きくすることができる。従って多くの光量を取り出すことができて、一層明るく照明することができる。
【図面の簡単な説明】
【００２８】
【図１】本発明の実施の形態に係わる時計用文字板の要部平面図である。
【図２】図２（ａ）は、図１のＡ−Ａ線断面図、図２（ｂ）は図２（ａ）の部分拡大断面図である。
【図３】従来の時計用文字板の要部断面図である。
【図４】図３の時計用文字板の要部斜視図である。
【図５】従来の他の時計用文字板の要部断面図である。
【図６】従来の更に他の時計用文字板の要部断面図である。
【符号の説明】
【００２９】
１  時計用文字板
２  透過性基板
２ａ  下面
２ｂ  凹部
２ｃ  凸部
２ｄ  平滑面
２ｅ  上面
３  反射膜
ｄ  平滑面の円の直径
ｈ  凸部の高さ
α  斜面角度
【図１】
2008180730.tif 000003
【図２】
2008180730.tif 000004
【図３】
2008180730.tif 000005
【図４】
2008180730.tif 000006
【図５】
2008180730.tif 000007
【図６】
2008180730.tif 000008